【手続補正書】
【提出日】令和3年5月11日(2021.5.11)
【手続補正１】
【補正対象書類名】特許請求の範囲
【補正対象項目名】全文
【補正方法】変更
【補正の内容】
【特許請求の範囲】
【請求項１】
チケット提供装置から携帯端末に対して、チケット購入用電話番号と、前記携帯端末に固有の端末固有情報又は前記端末固有情報に関連付けられたトークンとを通知する情報通知ステップと、
前記携帯端末から前記チケット購入用電話番号に宛てて、前記端末固有情報又は前記トークンを含むショートメールを送信する送信ステップと、
前記チケット提供装置が、前記ショートメールの送信元の電話番号である端末電話番号が、予約済電子チケットに関連付けて予め記憶媒体に記憶された予約電話番号と一致していると判定したことを条件として、前記ショートメールに含まれていた前記端末固有情報を有する前記携帯端末又は前記トークンに対応する前記端末固有情報を有する前記携帯端末に対して前記予約済電子チケットを提供する提供ステップと、
を有するチケット提供方法。
【請求項２】
前記携帯端末が前記送信ステップを実行してから所定の時間が経過した後に、前記携帯端末が、前記端末電話番号が前記予約電話番号と一致しているか否かを判定するための認証要求を行うための操作画面を表示するステップをさらに有する、
請求項１に記載のチケット提供方法。
【請求項３】
前記チケット提供装置が、前記端末電話番号が前記予約電話番号と一致しているか否かを判定した後に、前記チケット提供装置から前記携帯端末にセッションＩＤを送信するステップをさらに有し、
前記提供ステップにおいて、前記チケット提供装置が、前記セッションＩＤを含み、かつ電子チケットを要求するメッセージを前記携帯端末から受信したことを条件として、前記チケット提供装置が作成した電子チケットを前記携帯端末に提供する、
請求項１又は２に記載のチケット提供方法。
【請求項４】
前記送信ステップにおいて、前記携帯端末において前記予約済電子チケットを取得するために用いられるアプリケーションソフトウェアを特定するためのアプリケーション特定情報をさらに含む前記ショートメールを送信する、
請求項１から３のいずれか一項に記載のチケット提供方法。
【請求項５】
前記送信ステップの後に、前記チケット購入用電話番号に対応する中継装置が、前記ショートメールから前記端末電話番号及び前記端末固有情報又は前記トークンを抽出し、抽出した前記端末電話番号及び前記トークンを前記チケット提供装置に送信するステップをさらに有する、
請求項１から４のいずれか一項に記載のチケット提供方法。
【請求項６】
前記情報通知ステップの前に、
前記携帯端末において前記予約済電子チケットを取得するために用いられるアプリケーションソフトウェアが起動されたことを示す起動通知メッセージを前記携帯端末から前記チケット提供装置に送信するステップと、
前記チケット提供装置が、前記起動通知メッセージを受信したことに応じて前記端末固有情報を作成して前記記憶媒体に記憶させるステップと、
をさらに有する、
請求項１から５のいずれか一項に記載のチケット提供方法。
【請求項７】
前記端末固有情報を作成するステップにおいて、同一の前記携帯端末に対して過去に作成した前記端末固有情報が前記記憶媒体に記憶されている場合、前記記憶媒体に記憶されている前記端末固有情報を消去して、新たな前記端末固有情報を作成する、
請求項６に記載のチケット提供方法。
【請求項８】
前記提供ステップにおいて、前記情報通知ステップにおいて前記端末固有情報又は前記トークンを前記携帯端末に送信してから所定の時間が経過するまでの間に前記ショートメールが送信されたことを条件として、前記予約済電子チケットを前記携帯端末に提供する、
請求項１から７のいずれか一項に記載のチケット提供方法。
【請求項９】
前記情報通知ステップの前に実行するステップとして、
チケットの予約を受け付けるチケット予約装置がチケットの予約を要求するチケット予約要求を情報入力装置から取得する取得ステップと、
前記チケット予約装置が前記取得ステップにおいて取得した前記チケット予約要求に前記予約電話番号が関連付けられていない場合に、前記情報入力装置に対し、前記予約電話番号を要求する要求ステップと、
前記要求ステップの後に、前記情報入力装置から前記予約電話番号を受信する番号受信ステップと、
をさらに有する、
請求項１から８のいずれか一項に記載のチケット提供方法。
【請求項１０】
前記情報通知ステップの前に実行するステップとして、
認証コードを中継装置へ送信する第１コード送信ステップと、
前記認証コードを受信した前記中継装置が、前記予約電話番号に宛てて、当該認証コードを含むショートメールを送信する第２コード送信ステップと、
前記チケット提供装置が、前記中継装置が前記予約電話番号に宛てて送信した前記認証コードと一致する認証コードを前記携帯端末から前記チケット予約装置が受信した後に、前記予約電話番号に対応する予約済電子チケットを作成して前記記憶媒体に記憶させるステップと、
をさらに有する、
請求項９に記載のチケット提供方法。
【請求項１１】
チケット提供装置から携帯端末に対して、チケット購入用電話番号と、前記携帯端末に固有の端末固有情報又は前記端末固有情報に関連付けられたトークンとを通知する情報通知ステップと、
前記携帯端末から前記チケット購入用電話番号に宛てて電話発信する発信ステップと、
前記発信ステップの後に、前記端末固有情報又は前記トークンに対応するトーン信号を前記チケット購入用電話番号に対応する装置に送信する送信ステップと、
前記チケット提供装置が、前記電話発信の発信元の電話番号である端末電話番号が、予約済電子チケットに関連付けて予め記憶媒体に記憶された予約電話番号と一致していると判定したことを条件として、前記送信ステップにおいて送信された前記端末固有情報を有する前記携帯端末又は前記トークンに対応する前記端末固有情報を有する前記携帯端末に対して前記予約済電子チケットを提供する提供ステップと、
を有するチケット提供方法。
【請求項１２】
チケット購入用電話番号と、携帯端末に固有の端末固有情報又は前記端末固有情報に関連付けられたトークンとを前記携帯端末に通知する通知部と、
前記携帯端末からチケット購入用電話番号に宛てて送信されたショートメールの送信元の電話番号である端末電話番号が、予約済電子チケットに関連付けて記憶媒体に記憶された予約電話番号と一致していると判定されたことを条件として、前記ショートメールに含まれていた前記端末固有情報を有する前記携帯端末又は前記トークンに対応する前記端末固有情報を有する前記携帯端末に対して前記予約済電子チケットを提供する提供部と、
を有するチケット提供装置。
【請求項１３】
携帯端末が有するプロセッサを、
チケット購入用電話番号と、前記携帯端末に固有の端末固有情報又は前記端末固有情報に関連付けられたトークンとをチケット提供装置から受信する受信制御部、
情報を表示部に表示させる表示制御部、及び
前記チケット購入用電話番号宛てに、前記携帯端末の電話番号及び前記端末固有情報を有する前記携帯端末又は前記トークンを含むショートメールを送信する送信制御部、
として機能させ、
前記受信制御部は、前記送信制御部が前記ショートメールを送信した後に、前記携帯端末の電話番号及び前記端末固有情報に関連付けられた予約済電子チケットを前記チケット提供装置から受信し、
前記表示制御部は、前記予約済電子チケットを前記表示部に表示させる、
携帯端末用プログラム。